(57)【要約】【課題】歩行者が、前方へ歩きながら、後方を見ることが出来るようにする。【解決手段】歩行者の頭に付ける帽子或いは眼鏡などの装身具に、バックミラーを設けることによって、前方を向いた状態で、そのバックミラーを介して、後方を観察することが出来るようにする。  眼鏡１のレンズ２の外側部分に鏡面化塗装４を施したバックミラー付き眼鏡Ａは、その装身具の代表的な一例である。【効果】歩行者は、不審者から尾行されていることを、不審者に悟られることなく、また、不審者を刺激すること無く、安全な場所に避難することができる。【選択図】  図２
2009225925.tif 000002
【特許請求の範囲】
【請求項１】
バックミラー付き眼鏡において、該バックミラーを、該眼鏡を前面側から見て、耳に掛けるフレームを基準にして、レンズ側ＡＮＤ／ＯＲ反レンズ側に設けたことを特徴とする眼鏡。
【請求項２】
請求項１記載の眼鏡の耳に掛けるフレームの上面側または稜線に、かつ、該フレームに沿って、カメラを設けたことを特徴とする装身具。
【請求項３】
バックミラーを具備した帽子において、該バックミラーと直交または略直交して、カメラを具備したことを特徴とする装身具。
【発明の詳細な説明】
【技術分野】
【０００１】
本発明は、バックミラーに関し、詳しくは、歩行者が前方へ歩きながら、後方をバックミラーで見ることができる装身具に関する。
【背景技術】
【０００２】
従来から、歩行者が前方へ歩きながら、後方をバックミラーで見ることができる装身具が普及していなかった。
【０００３】
ストーカや痴漢等の変態性欲者に狙われている女性は、尾行されていることに早く気付いて、身の危険を回避したいが、後方から忍び寄って来る変態性欲者を察知することが難しい。
【０００４】
銀行のＡＴＭ装置からお金を引き出した年寄りや女性は、銀行からの帰路において、引っ手繰り犯に尾行されていることに早く気付いて、お金を強奪される危険を回避したいが、後方から忍び寄って来る引っ手繰り犯を察知することが難しい。
【０００５】
カラスが雛を育てている最中に、歩行者がその雛の居る巣の近くを通る場合、歩行者は、カラスから襲撃されるかもしれないと気付いていても、後方から襲撃してくるカラスを察知することが難しい。
【０００６】
このため、従来は、何人であっても、ストーカや痴漢等の変態性欲者、引っ手繰り者、カラスに狙われた場合、これらから襲われる好機に乗じられたならば、これらの犠牲に成らざるを得なかった。
【０００７】
従来から、歩行者の防犯を図るための装身具として、特許文献１および特許文献２に開示されている帽子が発明・考案されている。
これらの帽子は、バックミラー付き帽子であり、着用状態によって、バックミラーに写し出される方向が変化する。
【０００８】
このため、尾行されている者は、尾行者がこれらの装身具のバックミラーに写るように、バックミラーの向きを調整しなければならない。
尾行されている者は、尾行している者の見ている前で、尾行者に狙いを付けてバックミラーの向きを調整したのでは、尾行者をいたずらに興奮させ、逆上による対抗心を起こさせ、極めて危険な状況に陥るという問題に直面する。
【０００９】
後方を見る眼鏡が文献３に開示されているが、この眼鏡は、電子眼鏡であり、眼鏡の左側の「つる」の中に組み込まれた液晶表示素子の画像を、反射鏡を介在させて、眼鏡レンズの中央から覗き見するものである。
【００１０】
この電子眼鏡は、背後の尾行者を液晶表示素子に表示するための装置が付設されていない。
このため、文献３に開示されている電子眼鏡は、尾行者の動静を観察することが出来ず、尾行者の防犯に役立たない。
【００１１】
以上の事情により、尾行されている者が、尾行されながら、自然な姿で安全な場所に避難するために、前を向いたまま、尾行者を刺激することなく、尾行者の動静を観察できる手段の出現は、関係者の間で熱望されていた。
【００１２】
【特許文献１】実用新案登録第３０９７４９１号
【特許文献２】特開２００５−９７８１２
【特許文献３】特開２００１−３１８３３８
【発明の開示】
【発明が解決しようとする課題】
【００１３】
尾行されている者に、尾行者を刺激することなく、後方の観察を可能ならしめる。
【課題を解決するための手段】
【００１４】
尾行されている者が、自然な状態で、後方の観察を可能にする眼鏡または帽子からなる装身具を着用する。
【発明の効果】
【００１５】
本発明の「後方を観察するための装身具」は、装身具その物における機能部分を有効に活用しているので、その装身具を用いて後方を観察するに当たって、尾行されている者の挙動が目立つ程に変らないという従来にない大きな特徴を有している。
【００１６】
このため、本発明の「後方を観察するための装身具」は、これが起因となって尾行している者を刺激し、更なる嫌がらせを募らせる心、或いは、逆上等の対抗心を尾行している者に増幅させない、という従来にない利便性を有している。
【発明を実施するための最良の形態】
【００１７】
図１は、本発明の「凹面鏡付き眼鏡Ａ」を掛けている歩行者６が、ストーカ・痴漢等の尾行者７を、凹面鏡付き眼鏡Ａの凹面鏡５で察知した状況を表示したものである。
「凹面鏡付き眼鏡Ａ」は、本発明の「後方を観察するための装身具」の内の一形態である。
【００１８】
図２は、凹面鏡付き眼鏡Ａを表示した斜視図であり、「凹面鏡付き眼鏡Ａ」は、近視用眼鏡におけるレンズ２の前面の外側部分に鏡面化塗装４を施して、そのレンズ２の外側部分を鏡にしたものである。
図２中のハッチング部分が、鏡面化塗装４を施された鏡であり、この鏡は、眼鏡の後方を映し出す機能、所謂、バックミラーの機能を果たす。
【００１９】
ここに、近視用眼鏡におけるレンズ２は、前方に膨らんでいる凹レンズ４５であるから、鏡面化塗装４を施されたその鏡は、凹面鏡５と成る。
【００２０】
近視用眼鏡は、目４７を、凹面鏡５の焦点距離の範囲内に位置させて、前方を見るものである。
このため、レンズ２が鏡面化塗装４されて生じたその凹面鏡５で後方を見る時は、目４７の位置が、凹面鏡５の焦点距離の範囲内にある状態で、その凹面鏡５を覗き見することになる。
【００２１】
従って、凹面鏡付き眼鏡Ａを着用している歩行者６は、図３（ａ）に表示している概念図のように、凹面鏡５を介して、後方の尾行者７を、正立した、かつ、縮小された実像として、見ることができる。
【００２２】
以上の如くに、凹面鏡付き眼鏡Ａにおける凹面鏡５は、平面鏡で後方を見る場合よりも、遠くの景色を広く捕らえることができる。
【００２３】
従って、凹面鏡付き眼鏡Ａを着用している歩行者６は、眼鏡１のレンズ２の内、鏡化された凹面鏡５の範囲が狭いけれども、目を動かして、その凹面鏡５を覗いて、後方の遠くの景色を広く捕らえることができる。
【００２４】
歩行者６は、頭を僅かに左右に振れば、後方の景色を左右方向に広く捕らえることができる。
また、歩行者６は、その頭を僅かに上下方向に振ることによって、後方が上り坂道または下り坂道であっても、後方の景色を捕らえることができる。
従って、凹面鏡付き眼鏡Ａを着用している歩行者６は、前方を向いたまま、その狭い範囲の凹面鏡５を介在して、その凹面鏡５に、所謂、バックミラーに、写っている後方の尾行者７およびその周囲を観察することができる。
【００２５】
以上の事情により、凹面鏡付き眼鏡Ａを着用している歩行者６は、警戒したい時には何時でも、その凹面鏡５、所謂、バックミラーで、尾行されていることを探知することができる。
【００２６】
更に、本発明の「凹面鏡付き眼鏡Ａ」は、眼鏡１のレンズ２の幅を外側に広大して、耳に掛けるフレーム３を適宜に変形すれば、凹面鏡５を広くすることが出来るので、後方の景色の視野を左右方向に拡大することができる。
【００２７】
眼鏡１はそもそも目の前方を見るものである。
しかし、本発明の「凹面鏡付き眼鏡Ａ」は、前方を見ることが出来ると共に、眼鏡１のレンズ２の鏡化した部分を覗き見することで、目の後方をも見ることを可能にしたことを特徴としている。
また、本発明の「凹面鏡付き眼鏡Ａ」は、近視用眼鏡レンズ２を、凹面鏡にして、バックミラーとして使用したことを特徴としている。
これらの特徴を具備した「凹面鏡付き眼鏡Ａ」は、従来にない眼鏡であるから、新規性のある発明である。
【００２８】
文献３に開示されている電子眼鏡は、本発明の「凹面鏡付き眼鏡Ａ」と、反射鏡を用いて後方を見るという点で共通している。
【００２９】
文献３に開示されている電子眼鏡は、眼鏡の「つる」の内部に固定された液晶表示素子が見ることを目的にしているのに対し、本発明の「凹面鏡付き眼鏡Ａ」は、眼鏡の「つる」の外に所在して、任意に動く尾行者が見ることを目的している。
このため、文献３に開示されている電子眼鏡は、本発明の「凹面鏡付き眼鏡Ａ」と、発明の目的が相違している。
【００３０】
また、この電子眼鏡における反射鏡が、眼鏡のレンズに高度な加工を施して設けた平面鏡であるのに対し、本発明の「凹面鏡付き眼鏡Ａ」の反射鏡が眼鏡のレンズの曲面を単純に活用して鏡にした凹面鏡であることから、両者の発明の構成は全く相違している。
【００３１】
以上の如くに、本発明の「凹面鏡付き眼鏡Ａ」は、文献３に開示されている電子眼鏡に対し発明の目的と構成が全く相違しており、その電子眼鏡に基づいて、容易に想到することが出来ない。
【産業上の利用可能性】
【００３２】
尾行されて困る者は、昨今の世情は治安が悪くなって行く傾向にあるから、今後共、増加する傾向にある。
然るに、尾行されて困っている者は、ただでさえ全国的に大勢いる。
従って、本発明の「後方を観察するための装身具」は、昨今において需要があり、その需要は更に増加する傾向が予想される。
それ故に、本発明の「後方を観察するための装身具」は産業の興隆に寄与するものである。
【実施例１】
【００３３】
「凹面鏡付き眼鏡Ｂ」は、遠視用眼鏡におけるレンズ２の前面の外側部分に鏡面化塗装４を施して、「凹面鏡付き眼鏡Ａ」と同様に、そのレンズ２の外側部分を鏡にしたものである。
遠視用眼鏡のレンズは前方に膨らんだ凸レンズ４６である。
このため、凸レンズ４６の前面側に鏡面化塗装４が施された遠視用眼鏡のレンズは、凹面鏡５と成る。
【００３４】
本発明の「凹面鏡付き眼鏡Ｂ」を着用している歩行者６は、図３（ｂ）に表示している概念図のように、凹面鏡５を介して、後方の尾行者７を正立した、かつ、縮小された尾行者７の虚像として見ることができるので、「凹面鏡付き眼鏡Ａ」の場合と同様にして、尾行者７およびその周囲を観察することができる。
【実施例２】
【００３５】
本発明の「後方を観察するための装身具」の内の一形態に、図４（ａ）に表示している「バックミラー付き眼鏡Ｃ」がある。
【００３６】
バックミラー付き眼鏡Ｃは、前方のみならず、後方をも観察することの出来る眼鏡であり、近視用、遠視用、度の入ってない、または、素通しの眼鏡８に、図４（ａ）に表示しているように、バックミラー１１をレンズ９の位置よりも前方に突出させものである。
【００３７】
尚、バックミラー１１は、眼鏡８の後方側が反射して見えるようにした鏡面である。
また、バックミラー１１が凹面鏡５である場合においては、バックミラー１１をレンズ９の位置よりも前方に突出したときの目４７の位置は、図３（ａ）および図３（ｂ）に表示しているように、凹面鏡５と焦点３９，２３の間の在るものとする。
【００３８】
バックミラー付き眼鏡Ｃは、凹面鏡付き眼鏡Ａに比べて、鏡部が前方に位置しているので、後方の覗き見がし易すい。
【００３９】
バックミラー１１は、スライド軸１２に結合されており、そのスライド軸１２は、耳に掛けるためのフレーム１０に固定された案内筒１３に挿通され、前後自在に移動させることができる。
【００４０】
バックミラー１１を突出させるための構造は、一般的な突出構造であり、例えば、バックミラー１１は、スライド軸１２が、案内筒１３の内部において、コイルバネ１４で前方に押し出されて、ストッパー１５に押圧されて止まるという構造であっても良い。
また、バックミラー１１は、レンズ９側に設けることに拘るものでなく、フレーム１０を基準にして、レンズ９側ＡＮＤ／ＯＲ反レンズ９側に設けて良い。
【００４１】
バックミラー１１は、凹面鏡、凸面鏡、または、平面鏡の何れであっても良い。
しかしながら、着用している時の眼鏡８の耳に掛けるフレーム１０は、左右一対のフレーム１０ａ，１０ｂで構成され、顔を軽く挟んで耳に掛けられているので、そのレンズ９の直角方向から外側に僅かに広がって、僅かは末広がり状を呈している。
【００４２】
耳に掛けるフレーム１０のこの程度の末広がりにおいては、歩行者は、頭を僅かに左右に振れば、バックミラー１１の視野で、尾行者７の所在を捉えることができる。
【００４３】
図４（ｂ）は、図４（ａ）におけるバックミラー１１をレンズ９の直前に移動して格納した状況を、表わしたものである。
バックミラー１１を格納したバックミラー付き眼鏡Ｃは、目立たない眼鏡に成る。
【００４４】
突出したバックミラー１１を格納するための構造は、一般的な引き戻し構造であり、例えば、バックミラー１１の使用後は、バックミラー１１をレンズ９の直前まで移動することによって、コイルバネ１５を圧縮した後、スライド軸１２をフレーム１０または案内筒１３に掛け止めして、バックミラー１１を格納する構造であっても良い。
【００４５】
図４（ｂ）の状態のバックミラー付き眼鏡Ｃを装着している歩行者は、警戒態勢に入るときに、片手でバックミラー付き眼鏡Ｃのスライド軸１２の掛け止めを解除する。
バックミラー付き眼鏡Ｃは、スライド軸１２の掛け止めが解除されることによって、コイルバネ１５が伸延し、スライド軸１２がバックミラー１１と共に前方に移動して、図４（ａ）の状態に成るので、バックミラー付き眼鏡Ｃを目立たないように装着している歩行者６は、即座にバックミラー１１を覗いて後方を観察することができる。
【００４６】
バックミラー１１を格納したバックミラー付き眼鏡Ｃを着用している歩行者６は、眼鏡レンズ９を介在してバックミラー１１を覗き見することが可能であるから、バックミラー１１を格納したままであっても、凹面鏡付き眼鏡Ａと同様に、前方を向いたまま後方を観察することができる。
【００４７】
図５は、バックミラー１１が前後および左右に傾くように施したバックミラー付き眼鏡Ｃの部分斜視図であり、アーム５０をバッククミラー１１の枠に枢支部５２で連結し、アーム５０をスライド軸４９に枢支部５１で連結してなる部分を表示している。
【００４８】
枢支部５１および枢支部５２は、摩擦力で静止する構造にして、バックミラー１１を、前後方向の適宜角度に指で傾け、左右方向の適宜角度に指で傾けて摩擦力で静止させる。
このため、バックミラー１１は、使用中においても、前後方向および左右方向の適宜角度に指で傾けることができる。
【実施例３】
【００４９】
本発明の「後方を観察するための装身具」の内の一形態に、図６（ａ）に表示している「バックミラー付き眼鏡Ｄ」がある。
【００５０】
図６（ａ）は、バックミラー付き眼鏡Ｄの斜視図であり、眼鏡８のレンズの外側にバックミラー１６を節合し、バックミラー１６を開いた状態を表している。
尚、バックミラー１６は、眼鏡８の後方側が鏡面であり、前方側は裏面１７である。
【００５１】
バックミラー１６を開閉する構造は、一般的な開閉構造であり、例えば、バックミラー１６は、節合部１９の接合を手の指で開閉できる構造、または、スプリング２０の力で開く構造であっても良い。
【００５２】
また、バックミラー１６の枠に、図５の枢支部５１および枢支部５２に相当する部分を設けて、バックミラー１６が、前後方向および左右方向の適宜角度に指で傾けることができる構造にしても良い。
【００５３】
図６（ｂ）は、バックミラー付き眼鏡Ｄのバックミラー１６を閉じた状態を表した斜視図である。
バックミラー１６を閉じたバックミラー付き眼鏡Ｄは、目の周辺を隠すので、横から見た顔の感じを変えるという効果がある。
【実施例４】
【００５４】
本発明の「後方を観察するための装身具」の内の一形態に、「バックミラー付き眼鏡Ｅ」があり、バックミラー付き眼鏡Ｅは、バックミラー付き眼鏡Ｄのバックミラー１６を、眼鏡８のレンズ９とほぼ直列して、レンズ９の枠１８に固定したものである。
【実施例５】
【００５５】
本発明の「後方を観察するための装身具」の内の一形態に、図７に表示している「カメラ付き眼鏡Ｆ」がある。
カメラ付き眼鏡Ｆは、第７図に斜視図で表示しているように、凹面鏡付き眼鏡Ａのフレーム３ａの上面にカメラ２１を設け、そのカメラ２１と、録画装置３８を、コード３７で結線したものである。
ここに、録画装置３８は、携帯電話に設けてられている録画装置であっても良い。
【００５６】
カメラ２１は、カメラレンズ２２を眼鏡１のレンズ２の後方に向け、そのレンズ２の焦点方向を、凹面鏡付き眼鏡Ａの耳に掛けるフレーム３ａの長手方向に沿わせて、そのフレーム３ａの上面、上面側若しくは稜線の何れかに設ける。  
【００５７】
着用している時の眼鏡１のフレーム３ａおよびフレーム３ｂは、顔を軽く挟んで耳に掛ける機能を果たしているので、そのレンズ２の直角方向から外側に僅かに広がって、僅かは末広がり状を呈している。
【００５８】
カメラ２１は、フレーム３ａに沿って、かつ、そのカメラレンズ２２が眼鏡１の後方に向いている。
また、フレーム３ａは、略水平状態で歩行者の耳に掛かっている。
更に、眼鏡１のレンズ２はフレーム３ａと略直角方向に取り付けられているから、凹面鏡５もフレーム３ａと略直角方向に位置している。
【００５９】
この程度のフレーム３ａの末広がりによる傾きにおいては、凹面鏡５の視野はカメラ２１の視野と略同一方向であるから、カメラ２１は、凹面鏡５に写っている視野の大部分を捉えることができるので、歩行者は、前を向いたまま、目を動かして、凹面鏡５に写っている尾行者７をカメラ２１で撮影することができる。
【００６０】
歩行者６は、尾行者７の写像が凹面鏡５の視野から外れたときには、頭を僅かに左右方向に振り、僅かに上下方向に振ることによって、凹面鏡５の視野の中に尾行者７を捉えて、後方にいる尾行者７をカメラ２１で７撮影することができる。
【００６１】
以上の事情により、カメラ２１は、凹面鏡５に写っている尾行者７を、歩行者６が振り返らずに、前方を向いたまま撮影することができる。
尚、前方を向いたままの歩行者は、録画装置３８のディスプレイに尾行者が映っていることを確認して、尾行者７を撮影すれば、より一層確実に尾行者を撮影することができる。
【００６２】
録画装置３８とカメラ２１とを結線しているコード３７は、カメラレンズ２２の前方から垂れ下がっているので、凹面鏡５の覗き見およびカメラ２１の撮影を阻害しない。
【００６３】
本発明の「カメラ付き眼鏡Ｆ」は、歩行者６が、歩きながら頭を動かして、尾行者７をカメラ２１に捉えるので、尾行者７を追跡するための制御装置や走行装置が全く不要であるという特徴を有する。
【００６４】
カメラレンズ２２を耳の位置より前方に、所謂、目寄り側に設置すれば、カメラ２１で撮影された尾行者の画像は、フレーム３ａおよび歩行者６の耳や頭の一部分が写るから、尾行されている事実を証明する証拠画像となるという格別の利点がある。
【００６５】
パニック等で周囲が混乱している状況の下であっても、カメラ付き眼鏡Ｆを掛けていれば、後方を適宜に見ることが可能になるので、カメラ付き眼鏡Ｆは周囲の状況を冷静に判断するのに役立てると同時に、混乱状況を的確に撮影するのに役立てることが出来る。
【００６６】
カメラ付き眼鏡Ｆは、カメラ２１をフレーム３ａに限定して設けることに拘るものでなく、カメラ２１をフレーム３ｂに設けても良い。
この場合は、カメラ２１をフレーム３ａに設けた場合よりも、カメラ２１の視角と凹面鏡５の視角とのずれが大きくなるが、録画装置３８のディスプレイに尾行者が映っていることを確認してから、尾行者７を撮影すれば良い。
【００６７】
この場合においても、カメラ２１で撮影された尾行者の画像は、フレーム３ｂおよび歩行者６の耳や頭の一部分が写るようにしておけば、尾行されている事実を証明する証拠画像となるという格別の利点がある。
【００６８】
カメラ付き眼鏡Ｆのおけるカメラ２１は、カメラレンズ２２を後方に向けることに拘るものでなく、カメラレンズ２２を前方に向けて設けても良い。
この場合の歩行者は、尾行者を、振り返って真正面に見て、撮影することになる。
【実施例６】
【００６９】
本発明の「後方を観察するための装身具」の内の一形態に、「カメラ付き眼鏡Ｇ」があり、そのカメラ付き眼鏡Ｇは、図８の斜視図に表示しているように、カメラ２１を、フレーム１０ａが挿通されている案内筒１３の上面に、フレーム１０ａに沿って、眼鏡８の後方に向けて、所謂、カメラレンズ２２を後方に向けて設けたものである。
【００７０】
カメラ付き眼鏡Ｇを着用している歩行者６は、カメラ付き眼鏡Ｇがカメラ付き眼鏡Ｆと同様な機能を有しているために、カメラ付き眼鏡Ｆを着用している者と同様に、前方を向いたまま、尾行者７を撮影することができる。
尚、カメラ付き眼鏡Ｇのおけるカメラ２１は、カメラレンズ２２を前方に向けて、設けても良い。
この場合の歩行者６は、尾行者７を、振り返って真正面に見て、撮影することになる。
【００７１】
また、カメラレンズ２２を前方に向けたカメラ付き眼鏡Ｇは、防犯に限らず、直物の観察、動物の観察、機械装置や設備の点検・整備・発掘調査等において、各作業の合間に、見ている状況を容易に撮影することができるので、重宝である。
【実施例７】
【００７２】
図９は、本発明の「バックミラー付き帽子Ｈ」を被っている歩行者６が、ストーカ・痴漢等の尾行者７を、バックミラー付き帽子Ｈのバックミラー２８で察知した状況を表示したものである。
「バックミラー付き帽子Ｈ」は、本発明の「後方を観察するための装身具」の内の一形態である。
【００７３】
図１０（ａ）は、本発明のバックミラー付き帽子Ｈの斜視図であり、バックミラー付き帽子Ｈを構成している帽子２４が頭の挿入部を上方に向けて置かれている時の斜視図であって、バックミラー２８とカメラ３３を同時に使用できるように帽子２４に組み付けた状況を表示している。
【００７４】
バックミラー付き帽子Ｈは、カメラ３３付きバックミラー２８が台座２７を介して、帽子２４のつば２５の前方に縫い付けられたものである。
バックミラー２８は、台座２７に節合部２９を介して、旋回および逆方向の旋回が出来ると同時に、スプリング３９で常時開く力が加えられており、その開く力は台座２７から突出しているストッパー３１で拘束される構造である。
【００７５】
バックミラー２８は帽子２４のつば２５に対して立設しており、カメラ３３はそのレンズ３４が帽子２４の後方に向いて、かつ、バックミラー２８の鏡面は、カメラ３３の撮影方向と直交または略直交している。
バックミラー２８に写っている写体は、カメラ３３の撮影方向の中に含まれているので、カメラ３３を用いて撮影することができる。
【００７６】
そのカメラ３３と、録画装置３８は、コード３７で結線されている。
ここに、録画装置３８は、携帯電話に設けてられている録画装置であっても良い。
カメラ３３は、バックミラー２８に写っているものを撮影するので、録画装置３８を作動させた状態で、写したいものをバックミラー２８に捕らえることによって、写したいものを撮影することが出来る。
【００７７】
バックミラー付き帽子Ｈは、以上の構成であるから、図９における尾行者７を警戒している歩行者６は、振り返らずに、前方を向いたまま、バックミラー２８に写っている尾行者７を、カメラ３３で撮影することができる。
【００７８】
カメラ３３が頭の近辺に所在しているために、カメラ３３で撮影された画像は、頭の一部分が写っているから、尾行されている事実を証明する証拠画像となるという格別の利点がある。
【００７９】
図１０（ｂ）は、図１０（ａ）におけるバックミラー付き帽子Ｈのバックミラー２８とカメラ３３を畳んだ状況を表した図である。
【００８０】
図１０（ｂ）におけるバックミラー２３は、その表面に設けたフオック３０ｂとつば２５に設けたフオック３０ａとが嵌着されて、スプリング３９の常時開く力を拘束して、閉じている。
尚、フオック３０ａは、つば２５ではなく、台座２７に設けて、フオック３０ｂと嵌着させても良い。
【００８１】
カメラ３３は、バックミラー２８に節合部３２を介して、旋回および逆方向の旋回が出来ると同時に、スプリング４０で常時バックミラー２８と直交または略直交する力を加えており、その力はバックミラー２８から突出しているストッパー３５で拘束される構造である。
【００８２】
バックミラー２８を閉じているときは、帽子２４は概観的に普通の帽子であって、カメラ３３がつば２５に拘束されて、直交または略直交する力が拘束されている。
【００８３】
バックミラー２８とカメラ３３を畳んだ時のバックミラー付き帽子Ｇは以上の構成であるから、バックミラー２８に設けたフオック３０ｂと台座２７に設けたフオック３０ａとの嵌着を分離させれば、バックミラー２８は、スプリング３９の力で旋回してストッパー３１に当接して、立設する。
【００８４】
カメラ３３は、バックミラー２８が旋回して台座２７の面から離れている最中に、スプリング４０の力で旋回して、カメラ３３のストッパー３５がバックミラー２８の背面に当接して、バックミラー２８と直交または略直交する。
【００８５】
バックミラー付き帽子Ｈは、以上の構成であるから、バックミラー２８を畳んだ状態で、バックミラー付き帽子Ｇを被っていても、バックミラー２８に設けたフオック３０ｂと台座２７に設けたフオック３０ａとの嵌着を、手を上げて、その手の指で分離させれば、瞬時に、バックミラー２８が立設し、バックミラー２８の覗き方向をカメラ３３で撮影することが可能になる。
【００８６】
バックミラー付き帽子Ｈは、畳んでいるバックミラー２８を瞬時に懸架することができるので、尾行者７は、歩行者６から観察され始めたことに、気付き難いという特徴がある。
【００８７】
歩行者６は、観察され始めたことを尾行者７に悟られないように、頭を振って、尾行者７に対してバックミラー２８を適宜に隠しながら、適宜に尾行者７の動静を観察することができる。
このため、尾行されている歩行者６は、前を向いたまま、尾行者７を刺激することなく観察しながら、尾行されながら、自然な姿で安全な場所に避難することができる。
【００８８】
尚、バックミラー付き帽子Ｈを構成する帽子２４は、ソフト、シルクハット、山高帽、ハンチング、サンシェード、チロリアンハット、ボンネット等の何れであってもよい。
【００８９】
また、バックミラー付き帽子Ｈを構成する台座２７と帽子２４との結合は、縫い付けに拘るものでなく、鉤または傘形小片とループとを組み合せたファスナーによる結合や、接着剤による結合であっても良い。
【００９０】
帽子２４にバックミラー２８を設ける位置は、つば２５の前方、または、ひさし４１に、帽子２４を被った時に後方が見えるように設ける。
【００９１】
バックミラー２８は、帽子２４のつば２５またはひさし４１に限定して設けることに拘るものでなく、例えば、帽子の被り部２６から支持梁４２を突出させて、バックミラー２８を、その支持梁４２の先端付近に、帽子２４を被った時に後方が見えるように設けても良い。
【００９２】
歩行者６は、帽子２４の被り方を調整して、後方の観察したい方向がバックミラー２８に写るように、帽子を被る。
【００９３】
歩行者６は、歩きながら頭を少し左右に振りながら、目を動かしてバックミラー２８を覗き見して、尾行者７を捜す。
歩行者６は、尾行者７がバックミラー２８に写った後は、歩きながら頭を適宜に振って、尾行者７をバックミラー２８に捕らえ続ける。
【００９４】
歩行者６は、前方を向いたまま、頭を僅かに動かすことで、即ち、自然な歩行に近い姿で、尾行者７をバックミラー２８に捕らえながら歩いているので、尾行者７を刺激すること無く、安全な場所に避難することができる。
【実施例８】
【００９５】
本発明の「後方を観察するための装身具」の内の一形態に、「バックミラー付き帽子Ｉ」がある。
本発明の「バックミラー付き帽子Ｉ」は、バックミラー付き帽子Ｈにおける節合部２９、節合部３２を除去し、バックミラー２８を台座２７に立設した状態で固定し、カメラ３３をバックミラー２８と直交または略直交させて固定したものである。
【実施例９】
【００９６】
本発明の「後方を観察するための装身具」の内の一形態に、「バックミラー付き帽子Ｊ」がある。
本発明の「バックミラー付き帽子Ｊ」は、バックミラー付き帽子Ｈからカメラ３３を除去したものである。
【実施例１０】
【００９７】
本発明の「後方を観察するための装身具」の内の一形態に、「バックミラー付き帽子Ｋ」がある。
本発明の「バックミラー付き帽子Ｋ」は、バックミラー付き帽子Ｊにおける節合部２９を除去し、バックミラー２８を台座２７に固定したものでる。
【図面の簡単な説明】
【００９８】
【図１】本発明の凹面鏡付き眼鏡Ａを掛けて歩いている者が、尾行者をバックミラーで観察している状況を表示している。
【図２】本発明の「凹面鏡付き眼鏡Ａ」の斜視図で表示している。
【図３】（ａ）凹面鏡５を介して、後方の尾行者７を実像として見ることができる原理を表示した概念図である。（ｂ）凹面鏡５を介して、後方の尾行者７を虚像として見ることができる原理を表示した概念図である。
【図４】（ａ）バックミラーが突出している時の本発明の「バックミラー付き眼鏡Ｃ」を斜視図で表示している。（ｂ）バックミラーを格納している時の本発明の「バックミラー付き眼鏡Ｃ」を斜視図で表示している。
【図５】バックミラーが前後左右に傾くように施したバックミラー付き眼鏡Ｃの部分斜視図で表示している。
【図６】（ａ）バックミラーを開いている時の本発明の「バックミラー付き眼鏡Ｄ」の斜視図で表示している。（ｂ）バックミラーを閉じている時の本発明の「バックミラー付き眼鏡Ｄ」の斜視図で表示している。
【図７】本発明の「カメラ付き眼鏡Ｆ」の斜視図で表示している。
【図８】本発明の「カメラ付き眼鏡Ｇ」の斜視図で表示している。
【図９】本発明のバックミラー付き帽子Ｈを着用して歩いている者が、尾行者をバックミラーで観察している状況を表示している。
【図１０】（ａ）本発明の「バックミラー付き帽子Ｈ」におけるバックミラーが開いている状況を斜視図で表示している。（ｂ）本発明の「バックミラー付き帽子Ｈ」におけるバックミラーが閉じている状況を斜視図で表示している。
【符号の説明】
【００９９】
Ａ・・・・・・・・・凹面鏡付き眼鏡
Ｂ・・・・・・・・・凹面鏡付き眼鏡
Ｃ・・・・・・・・・バックミラー付き眼鏡
Ｄ・・・・・・・・・バックミラー付き眼鏡
Ｆ・・・・・・・・・カメラ付き眼鏡
Ｇ・・・・・・・・・カメラ付き眼鏡
Ｈ・・・・・・・・・バックミラー付き帽子
１・・・・・眼鏡                    ２・・・・・レンズ
３・・・・・フレーム                ４・・・・・鏡面化塗装
５・・・・・凹面鏡                  ６・・・・・歩行者
７・・・・・尾行者                  ８・・・・・眼鏡
９・・・・・レンズ                  １０・・・・フレーム
１１・・・・バックミラー            １２・・・・スライド軸
１３・・・・案内筒                  １４・・・・コイルバネ
１５・・・・ストッパー              １６・・・・バックミラー
１７・・・・裏面                    １８・・・・枠
１９・・・・節合部                  ２０・・・・スプリング
２１・・・・カメラ                  ２２・・・・カメラレンズ
２３・・・・焦点
２４・・・・帽子                    ２５・・・・つば
２６・・・・被り部                  ２７・・・・台座
２８・・・・・バックミラー          ２９・・・・・節合部
３０ａ，３０ｂ・・・フオック        ３１・・・・・ストッパー
３２・・・・・節合部                ３３・・・・・カメラ
３４・・・・・カメラレンズ          ３５・・・・・ストッパー
３６・・・・・縫付部                ３７・・・・・コード
３８・・・・録画装置                ３９・・・・・焦点
４０・・・・・実像                  ４１・・・・・光軸
４２・・・・・凸面鏡                ４３・・・・・焦点
４４・・・・・光軸                  ４５・・・・・凹レンズ
４６・・・・・凸レンズ              ４７・・・・・目
４８・・・・・虚像                  ４９・・・・・スライド軸
５０・・・・・アーム                ５１・・・・・枢支部
５２・・・・・枢支部
【図１】
2009225925.tif 000003
【図２】
2009225925.tif 000004
【図３】
2009225925.tif 000005
【図４】
2009225925.tif 000006
【図５】
2009225925.tif 000007
【図６】
2009225925.tif 000008
【図７】
2009225925.tif 000009
【図８】
2009225925.tif 000010
【図９】
2009225925.tif 000011
【図１０】
2009225925.tif 000012